(57)【要約】【課題】外部アンテナアダプタのケーブルを手や足に引っ掛けにくい電子機器を提供すること。【解決手段】筐体４に対しロッドアンテナ５のアンテナ本体１０が起倒可能に設けられた電子機器本体２と、外部アンテナからの信号を前記ロッドアンテナ５に入力するための外部アンテナアダプタ３とを有する電子機器１において、前記外部アンテナアダプタ３を、ケーブル１１と、アダプタ本体１２とで構成し、前記アダプタ本体１２を、前記ケーブル１１に接続された導体１４と、この導体１４を保持する基部１５とで構成すると共に、前記アダプタ本体１２を、前記筐体４と、倒状態の前記アンテナ本体１０とで挟持可能に構成したことで、前記外部アンテナアダプタ３の大部分を前記ロッドアンテナ５よりも低くして、外部アンテナアダプタ３を目立たせないようにすると共に、前記ケーブル１１に手や足を引っかけにくくすることができる。【選択図】図５
2015015598.tif 000002
【特許請求の範囲】
【請求項１】
筐体に対しロッドアンテナが起倒可能に設けられた電子機器本体と、
外部アンテナからの信号を前記ロッドアンテナに入力するための外部アンテナアダプタとを有する電子機器において、
前記外部アンテナアダプタを、ケーブルと、アダプタ本体とで構成し、
前記アダプタ本体を、前記ケーブルに接続された導体と、この導体を保持する基部とで構成すると共に、前記アダプタ本体を、前記筐体とロッドアンテナとで挟持可能に構成したことを特徴とする電子機器。
【請求項２】
前記筐体に凹部を設け、この凹部に、前記ロッドアンテナ及びこのロッドアンテナを位置決めするための突部を設けると共に、
前記アダプタ本体に、前記突部に対応して前記アダプタ本体を位置決めするための切欠部を設けたことを特徴とする請求項１記載の電子機器。
【請求項３】
前記導体を、前記基部内で絶縁状態に保持したことを特徴とする請求項１記載の電子機器。
【請求項４】
前記アダプタ本体の装着時において、このアダプタ本体の長さ方向を、前記ロッドアンテナの収納時の長さ方向と同じにしたことを特徴とする請求項１又は２記載の電子機器。
【請求項５】
前記アダプタ本体の長さを、前記ロッドアンテナの最外筒部の長さとほぼ同じにしたことを特徴とする請求項４記載の電子機器。
【発明の詳細な説明】
【技術分野】
【０００１】
本発明は、受信機又は送信機のためのアンテナを有する電子機器に関するものであり、特に、外部アンテナに接続可能なアダプタを有する電子機器に関するものである。
【背景技術】
【０００２】
従来、この種の電子機器としては、ワイヤアンテナの端部に断面がほぼＵ字状をなす導電性の弾性部材を結合し、この弾性部材でロッドアンテナを挟着するように取り付けて結合するようにした、ワイヤアンテナの接続装置を用いたものが知られている（例えば、特許文献１参照。）。
【先行技術文献】
【特許文献】
【０００３】
【特許文献１】実開平２−４４４１１号公報
【発明の概要】
【発明が解決しようとする課題】
【０００４】
しかしながら、このような電子機器は、導電性の弾性部材でロッドアンテナを挟持するため、前記弾性部材を含む接続部が目立ってしまい、外観上好ましくないという問題があった。また、前記接続部は、前記ロッドアンテナを起こした状態でも接続できるため、起こしたロッドアンテナに前記接続部を接続した場合、ケーブルが高い位置から垂れ下がった状態となってしまい、ケーブルを手や足に引っ掛けやすいという問題があった。また、導電性の弾性部材（多くの場合、金属）でロッドアンテナを挟持するため、このロッドアンテナに傷を付けてしまう虞もあった。
【０００５】
本発明は以上の問題点を解決し、外部アンテナアダプタを目立たせないようにすることができる電子機器を提供することを目的とする。
【課題を解決するための手段】
【０００６】
本発明の請求項１に記載の電子機器は、筐体に対しロッドアンテナが起倒可能に設けられた電子機器本体と、外部アンテナからの信号を前記ロッドアンテナに入力するための外部アンテナアダプタとを有する電子機器において、前記外部アンテナアダプタを、ケーブルと、アダプタ本体とで構成し、前記アダプタ本体を、前記ケーブルに接続された導体と、この導体を保持する基部とで構成すると共に、前記アダプタ本体を、前記筐体とロッドアンテナとで挟持可能に構成したものである。
【０００７】
また、本発明の請求項２に記載の電子機器は、請求項１において、前記筐体に凹部を設け、この凹部に、前記ロッドアンテナ及びこのロッドアンテナを位置決めするための突部を設けると共に、前記アダプタ本体に、前記突部に対応してこのアダプタ本体を位置決めするための切欠部を設けたものである。
【０００８】
また、本発明の請求項３に記載の電子機器は、請求項１において、前記導体を、前記基部内で絶縁状態に保持したものである。
【０００９】
また、本発明の請求項４に記載の電子機器は、請求項１又は２において、前記アダプタ本体の装着時において、このアダプタ本体の長さ方向を、前記ロッドアンテナの収納時の長さ方向と同じにしたものである。
【００１０】
更に、本発明の請求項５に記載の電子機器は、請求項４において、前記アダプタ本体の長さを、前記ロッドアンテナの最外筒部の長さとほぼ同じにしたものである。
【発明の効果】
【００１１】
本発明の請求項１に記載の電子機器は、以上のように構成することにより、前記ロッドアンテナを倒した状態で、前記外部アンテナアダプタのアダプタ本体を、前記電子機器本体の筐体とロッドアンテナとの間で挟持することができるので、前記外部アンテナアダプタの大部分がロッドアンテナよりも低い位置となり、外部アンテナアダプタを目立たせないようにすることができるばかりでなく、前記ケーブル位置が低くなった分、手や足を引っかけにくくすることができる。
【００１２】
なお、前記筐体に凹部を設け、この凹部に、前記ロッドアンテナ及びこのロッドアンテナを位置決めするための突部を設けると共に、前記アダプタ本体に、前記突部に対応して前記アダプタ本体を位置決めするための切欠部を設けることで、前記アダプタ本体に保持された導体と前記ロッドアンテナとの位置関係を一定にして、受信状態を安定させることができる。
【００１３】
また、前記導体を、前記基部内で絶縁状態に保持することで、外部アンテナとケーブルとの間にブースターが設けられている場合であっても、使用者が感電するのを抑制することができる。
【００１４】
また、前記アダプタ本体の装着時において、このアダプタ本体の長さ方向を、前記ロッドアンテナの収納時の長さ方向と同じにすることで、前記導体とロッドアンテナとを、ほぼ平行で且つ広範囲で近接させることができるので、受信状態を安定させることができる。
【００１５】
更に、前記アダプタ本体の長さを、前記ロッドアンテナの最外筒部の長さとほぼ同じにすることで、縮めた状態におけるロッドアンテナに対し広い範囲で前記導体が対向するので、受信状態をより安定させることができる。
【図面の簡単な説明】
【００１６】
【図１】本発明の一実施形態を示す、アダプタを用いていない状態の電子機器の外観図であり、（ａ）は平面図、（ｂ）は背面図である。
【図２】同、アダプタを用いていない状態の電子機器の断面図であり、（ａ）はＡ−Ａ断面図、（ｂ）はＢ−Ｂ断面図である。
【図３】同、アダプタを用いた状態の電子機器の外観図であり、（ａ）は平面図、（ｂ）は背面図である。
【図４】同、アダプタを用いた状態の電子機器の断面図であり、（ａ）はＣ−Ｃ断面図、（ｂ）はＤ−Ｄ断面図である。
【図５】同、図４（ｂ）の要部の拡大図である。
【図６】同、アダプタの外観図であり、（ａ）は平面図、（ｂ）は背面図である。
【図７】同、アダプタの拡大断面図であり、（ａ）はＥ−Ｅ断面図、（ｂ）はＦ−Ｆ断面図である。
【図８】同、アダプタの斜視図である。
【図９】本発明の導体の斜視図であり、（ａ）は本実施形態の導体、（ｂ）及び（ｃ）は変形例に係る導体である。
【発明を実施するための形態】
【００１７】
以下、本発明の実施形態について、図１乃至図８に基づいて説明する。１は本発明の電子機器である。この電子機器１は、電子機器本体２と、外部アンテナアダプタ３とを有して構成される。なお、前記電子機器本体２は、例えばラジオやテレビ等の受信機である。
【００１８】
前記電子機器本体２は、筐体４と、この筐体４に対し起倒可能に設けられたロッドアンテナ５とを有する。前記筐体４には、左右方向に長い凹部６が形成される。また、この凹部６には、前記ロッドアンテナ５を位置決めするための第一突部７、及び前記ロッドアンテナ５を保持するための第二突部８が設けられる。また、前記ロッドアンテナ５は、前記筐体４の凹部６に設けられる。前記ロッドアンテナ５は、取付部９と、伸縮可能なアンテナ本体１０とを有する。そして、このアンテナ本体１０は、前記取付部９に対し揺動可能に軸支される。なお、前記ロッドアンテナ５のアンテナ本体１０の倒状態では、このアンテナ本体１０と前記凹部６の底部６Ａとの間に間隙Ｇが生じる。また、前記アンテナ本体１０の倒状態では、このアンテナ本体１０の長さ方向は、前記凹部６と同様に、左右方向となる。
【００１９】
前記外部アンテナアダプタ３は、ケーブル１１と、アダプタ本体１２とを有する。前記ケーブル１１は、同軸線１３と、図示しないコネクタとを有する。また、前記アダプタ本体１２は、前記ケーブル１１に電気的に接続された平板状の導体１４と、この導体１４を絶縁状態で保持するエラストマー又は合成樹脂製の基部１５とを有する。なお、前記基部１５は、前記筐体４を傷付けないようにするため、エラストマー又は軟質合成樹脂で成形することが望ましい。また、前記導体１４は、前記基部１５内にインサート成形される。
【００２０】
前記基部１５について詳述する。この基部１５の幅寸法Ｌ１は、前記アンテナ本体１０の最外筒部１０Ａの長さＬ２とほぼ等しい。また、前記基部１５は、立壁部１６と、底壁部１７と、複数のリブ１８を有する。前記立壁部１６は、前記底壁部１７に対し交差して設けられる。なお、本実施形態では、図７に示すように、前記立壁部１６は前記底壁部１７と直交するが、前記立壁部１６が前記底壁部１７に対し鈍角となるようにしても良い。また、前記リブ１８は、前記アンテナ本体１０と対向するように、前記立壁部１６の後部から底壁部１７の上部にかけて形成される。そして、前記底壁部１７の底面から前記リブ１８の上面までの距離Ｘは、前記間隙Ｇとほぼ同じである。また、前記底壁の中央部には、前記第一突起７に対応して、切欠部１９が形成される。なお、前記導体１４は、前記立壁部１６内に設けられる。そして、前記導体１４は、前記立壁部１６と平行に設けられる。また、前記導体１４は、前記立壁部１６及びアンテナ本体１０と同様に、左右方向に長く形成される。
【００２１】
次に、本実施形態の作用について説明する。放送波の受信状態が良好な場合、前記外部アンテナアダプタ３を使用する必要がない。この場合、前記電子機器１は、前記電子機器本体２のみで使用することができる。そして、この場合、必要に応じて前記ロッドアンテナ５を前記筐体４から起こし、長さを調整したり向きを調整したりすることで、放送波をより良好に受信することができる。
【００２２】
一方、放送波の受信状態が良好でない場合、前記外部アンテナアダプタ３を使用する。この場合、まず使用者は、前記外部アンテナアダプタ３の図示しないコネクタを、家屋の壁等に設けられた図示しないアンテナ端子に接続する。そして、前記アンテナ端子は、図示しない外部アンテナ等に接続される。なお、前記コネクタと前記アンテナ端子との間には、任意の長さの延長ケーブルを設けてもよい。また、外部アンテナによる放送波の受信状況も良好でない場合、前記外部アンテナから外部アンテナアダプタ３までの経路中に、ブースターを設けても良い。
【００２３】
そして、前記アンテナ端子に接続された前記アンテナアダプタ３を、前記電子機器本体２に装着する。この場合、まず、前記ロッドアンテナ３のアンテナ本体１０を起こし、前記凹部６に前記アダプタ本体１２を置く。この際、前記筐体４の第一突部７が、前記アダプタ本体１２の切欠部１９に入る。これによって、前記アダプタ本体１２は、前記筐体４の凹部６に対し位置決めされる。そして、前記アンテナ本体１０を再び倒し、前記第二突部８と係合させることで、前記アダプタ本体１２は、前記筐体４の凹部６と前記ロッドアンテナ３のアンテナ本体１０とで挟持される。なお、前記アダプタ本体１２のリブ１８と前記アンテナ本体１０の最外筒部１０Ａとの間に僅かな間隔があっても良く、また、前記リブ１８と前記最外筒部１０Ａとが軽く接しても良い。そして、前記基部１５をエラストマーで形成すれば、前記アンテナ本体１０の最外筒部１０Ａが前記リブ１８に軽く接する場合、前記リブ１８が僅かに弾性変形することで、前記アダプタ本体１２は、前記凹部６の底部６Ａと前記アンテナ本体１０の最外筒部１０Ａにそれぞれ軽く圧接する。また、前記基部１５をエラストマーで形成すれば、この基部１５が前記筐体４及びアンテナ本体１０と接触したとしても、これら筐体４及びアンテナ本体１０に傷を付けにくくすることができる。また、この状態において、前記アダプタ本体１２は、その立壁部１６と底壁部１７が、前記凹部６の長さ方向、即ち前記アンテナ本体１０とほぼ平行となるように設置される。従って、前記アダプタ本体１２に設けられた導体１４も、前記アンテナ本体１０とほぼ平行になる。
【００２４】
この際、起こしたロッドアンテナを挟んで接続する従来の外部アンテナアダプタと比較して、前記アンテナアダプタ３のアダプタ本体１２を低い位置に設置することができるので、前記ケーブル１１も低く配置することができる。具体的には、前記アンテナアダプタ３のケーブル１１は、前記ロッドアンテナ５よりも低い位置となる。これによって、前記ケーブル１１に手や足を引っかけにくくすることができる。また、前記アダプタ本体１２が前記凹部６に設置されると共に、前記ケーブル１１がこの凹部６から後方に延出する。従って、前記外部アンテナアダプタ３は、正面視で、前記電子機器本体２に大部分が隠れることになる。これによって、前記電子機器本体２に装着された前記外部アンテナアダプタ３を目立たなくすることができる。
【００２５】
このように、前記外部アンテナアダプタ３を電子機器本体２に装着した状態で、この電子機器本体２を作動させると、この電子機器本体２は、外部アンテナから前記アンテナアダプタ３を介して前記ロッドアンテナ５から放送波を受信する。なお、前記アンテナアダプタ３の導体１４は、前記基部１５によって覆われるため、前記ロッドアンテナ５と電気的に接触しないが、前記外部アンテナで受信した電波を、前記ロッドアンテナ５に近接配置された前記導体１４から放射させることで、この導体１４から放射された電波を前記ロッドアンテナ５を用いて良好に受信することができる。また、前記第一突部７と切欠部１９によって、前記アダプタ本体１２が、前記筐体４の凹部６、ひいては前記ロッドアンテナ５のアンテナ本体１０に対し位置決めされるので、前記導体１４とアンテナ本体１０の位置関係をほぼ一定に保ち、これら導体１４とアンテナ本体１０との間における電波の授受を安定して行うことができる。また、前記第一突部７と切欠部１９とが遊嵌することで、前記アダプタ本体１２が前記凹部から意図せず外れるのを防ぐことができる。また、前記アダプタ本体１２を前記電子機器本体２に装着した状態において、前記アダプタ本体１２の長さ方向、即ち前記導体１４の長さ方向を、前記ロッドアンテナ５のアンテナ本体１０の収納時における長さ方向と同じにすることで、前記導体１４とアンテナ本体１０とを、ほぼ平行で且つ広範囲で近接させることができるので、受信状態を安定させることができる。更に、前記アダプタ本体１２の長さを、前記アンテナ本体１０の最外筒部１０Ａの長さとほぼ同じにすることで、縮めた状態における前記アンテナ本体の、前記第二突部８と係合する部分を除く部分に対し広い範囲で前記導体１４が対向するので、受信状態をより安定させることができる。
【００２６】
なお、前述したように、外部アンテナによる放送波の受信状態も良好でない場合、前記外部アンテナから外部アンテナアダプタ３までの経路中に、ブースターを設けても良い。この場合、前記ケーブル１１及び導体１４に通常より高い電圧が印加されるので、前記導体１４が剥き出しの場合、この導体１４に触れると軽く感電し、電気刺激を感じる。しかしながら、前述した通り、前記導体１４が前記基部１５によって絶縁状態で覆われるので、使用者が感電する虞を低減することができる。
【００２７】
以上のように本発明は、筐体４に対しロッドアンテナ５のアンテナ本体１０が起倒可能に設けられた電子機器本体２と、外部アンテナからの信号を前記ロッドアンテナ５に入力するための外部アンテナアダプタ３とを有する電子機器１において、前記外部アンテナアダプタ３を、ケーブル１１と、アダプタ本体１２とで構成し、前記アダプタ本体１２を、前記ケーブル１１に接続された導体１４と、この導体１４を保持する基部１５とで構成すると共に、前記アダプタ本体１２を、前記筐体４と、倒状態の前記アンテナ本体１０とで挟持可能に構成したことで、前記外部アンテナアダプタ３の大部分が前記ロッドアンテナ５よりも低い位置となり、外部アンテナアダプタ３を目立たせないようにすることができるばかりでなく、前記ケーブル１１の位置が低くなった分、このケーブル１１に手や足を引っかけにくくすることができるものである。
【００２８】
また、前記筐体４に凹部６を設け、この凹部６に、前記ロッドアンテナ５及びこのロッドアンテナ５のアンテナ本体１０を位置決めするための第一突部７を設けると共に、前記アダプタ本体１２に、前記第一突部７に対応して前記アダプタ本体１２を位置決めするための切欠部１９を設けたことで、前記アダプタ本体１２に保持された導体１４と前記アンテナ本体１０との位置関係を一定にして、受信状態を安定させることができるものである。
【００２９】
また、前記導体１４を、前記基部１５内で絶縁状態に保持することで、外部アンテナと前記ケーブル１１との間にブースターが設けられている場合であっても、使用者が感電するのを抑制することができるものである。
【００３０】
また、前記アダプタ本体１２の装着時において、このアダプタ本体１２の長さ方向を、前記アンテナ本体１０の収納時の長さ方向と同じにすることで、前記導体１４とアンテナ本体１０とを、ほぼ平行で且つ広範囲で近接させることができるので、受信状態を安定させることができるものである。
【００３１】
更に、前記アダプタ本体１２の長さを、前記アンテナ本体１０の最外筒部１０Ａの長さとほぼ同じにすることで、縮めた状態における前記アンテナ本体１０に対し広い範囲で前記導体１４が対向するので、受信状態をより安定させることができるものである。
【００３２】
なお、本発明は以上の実施形態に限定されるものではなく、発明の要旨の範囲内で種々の変形実施が可能である。例えば、上記実施形態では、導体をアダプタ本体の基部の立壁部に設けたが、導体を底壁部に設けても良い。また、上記実施形態では、導体を平板状としたが、図９（ｂ）及び（ｃ）に示すように、導体１４Ａを曲板状にしても良く、また、導体１４Ｂを棒状としても良い。
【符号の説明】
【００３３】
１  電子機器
２  電子機器本体
３  外部アンテナアダプタ
４  筐体
５  ロッドアンテナ
６  凹部
７  第一突部（突部）
１０  アンテナ本体
１０Ａ  最外筒部
１１  ケーブル
１２  アダプタ本体
１４  導体
１５  基部
１９  切欠部
【図１】
2015015598.tif 000003
【図２】
2015015598.tif 000004
【図３】
2015015598.tif 000005
【図４】
2015015598.tif 000006
【図５】
2015015598.tif 000007
【図６】
2015015598.tif 000008
【図７】
2015015598.tif 000009
【図８】
2015015598.tif 000010
【図９】
2015015598.tif 000011